【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
本体装置における信号又は電力を伝送する複数本の伝送用ケーブルによる伝送部と、
前記伝送用ケーブルの前記本体装置側端から前記本体装置側端とは逆側端の途中までの間、前記伝送用ケーブルに沿って設けられて前記伝送用ケーブルと高周波信号の伝送路を形成するアンテナ部と、
前記伝送用ケーブルの前記本体装置側端に設けられ、前記伝送用ケーブルからの前記本体装置への高周波信号の侵入を遮断する高周波遮断回路と、
前記アンテナ部の前記本体装置側端をアンテナ入力端に接続し、前記アンテナ部の長さに対応する第１の周波数帯域の放送波を受信するチューナとを備え、
前記アンテナ部の前記本体装置側端とは逆側端が開放端とされた
ことを特徴とする受信装置。
【請求項２】
前記アンテナ部が、前記伝送用ケーブルに沿って設けられたアンテナ部のケーブルであり、
前記伝送路が、前記伝送用ケーブルと前記アンテナ部のケーブルとによる平行線路である
ことを特徴とする請求項１に記載の受信装置。
【請求項３】
前記伝送用ケーブルの前記本体装置側端とは逆側端にスピーカが設けられ、
前記本体装置における信号が、前記スピーカを駆動するオーディオ信号である
ことを特徴とする請求項２に記載の受信装置。
【請求項４】
前記アンテナ部の前記スピーカ側端の部位に前記伝送用ケーブルを中継するジャック及びプラグが設けられた
ことを特徴とする請求項３に記載の受信装置。
【請求項５】
前記伝送部の複数本の伝送用ケーブルが、少なくとも右及び左チャンネルのオーディオ信号をそれぞれ伝送するケーブルと、前記右及び又は左チャンネルのオーディオ信号に対応するアースラインのケーブルとを有する複数本のケーブルであり、
前記アンテナ部のケーブルが、前記伝送用ケーブルと等しい本数のケーブルであり、
前記アンテナ部の前記本体装置側端に、前記複数本のケーブルが接続されて、前記アンテナ部は前記アンテナ入力端に接続された
ことを特徴とする請求項２に記載の受信装置。
【請求項６】
前記アンテナ部の長さが、前記第１の周波数帯域の放送波の波長の略ｎ／４に設定された
ことを特徴とする請求項２に記載の受信装置。
但し、ｎは奇数である。
【請求項７】
前記伝送用ケーブルの前記本体装置側端と、前記アンテナ部の前記本体装置側端とがフィルタ回路により接続され、
前記チューナが、さらに前記伝送用ケーブルの長さに対応する第２の周波数帯域の放送波を受信する
ことを特徴とする請求項２に記載の受信装置。
【請求項８】
前記伝送用ケーブルの長さが、前記第２の周波数帯域の放送波の波長の略ｎ／４に設定された
ことを特徴とする請求項７に記載の受信装置。
但し、ｎは奇数である。
【請求項９】
前記アンテナ部が、前記複数本の伝送用ケーブルを囲む被覆線であり、
前記伝送路が、前記伝送用ケーブルと前記被覆線とによる同軸伝送路である
ことを特徴とする請求項１に記載の受信装置。
【請求項１０】
前記伝送用ケーブルの前記本体装置側端とは逆側端にスピーカが設けられ、
前記本体装置における信号が、前記スピーカを駆動するオーディオ信号である
ことを特徴とする請求項９に記載の受信装置。
【請求項１１】
前記アンテナ部の前記スピーカ側端の部位に前記伝送用ケーブルを中継するジャック及びプラグが設けられた
ことを特徴とする請求項１０に記載の受信装置。
【請求項１２】
前記伝送部の複数本の伝送用ケーブルが、少なくとも右及び左チャンネルのオーディオ信号をそれぞれ伝送するケーブルと、前記右及び又は左チャンネルのオーディオ信号に対応するアースラインのケーブルとを有する複数本のケーブルである
ことを特徴とする請求項９に記載の受信装置。
【請求項１３】
前記アンテナ部の長さが、前記第１の周波数帯域の放送波の波長の略ｎ／４に設定された
ことを特徴とする請求項９に記載の受信装置。
但し、ｎは奇数である。
【請求項１４】
前記伝送用ケーブルの前記本体装置側端と、前記アンテナ部の前記本体装置側端とがフィルタ回路により接続され、
前記チューナが、さらに前記伝送用ケーブルの長さに対応する第２の周波数帯域の放送波を受信する
ことを特徴とする請求項９に記載の受信装置。
【請求項１５】
前記伝送用ケーブルの長さが、前記第２の周波数帯域の放送波の波長の略ｎ／４に設定された
ことを特徴とする請求項１４に記載の受信装置。
但し、ｎは奇数である。
【請求項１６】
所定周波数帯域の放送波を受信する本体装置に接続されるアンテナであって、
本体装置における信号又は電力を伝送する複数本の伝送用ケーブルによる伝送部と、
前記伝送用ケーブルの前記本体装置側端から前記本体装置側端とは逆側端の途中までの間、前記伝送用ケーブルに沿って設けられて前記伝送用ケーブルと前記放送波の伝送路を形成するアンテナ部とを有し、
前記アンテナ部の前記本体装置側端とは逆側端が開放端とされ、
前記伝送用ケーブルの前記本体装置側端が、前記本体装置への高周波信号の侵入を遮断する高周波遮断回路に接続され、
前記アンテナ部の前記本体装置側端が、前記アンテナ部の長さに対応する第１の周波数帯域の放送波を受信するチューナ部のアンテナ入力端に接続される
ことを特徴とするアンテナ。
【請求項１７】
前記アンテナ部が、伝送用ケーブルに沿って設けられたアンテナ部のケーブルであり、
前記伝送路が、前記伝送用ケーブルと前記アンテナ部のケーブルとによる平行線路である
ことを特徴とする請求項１６に記載のアンテナ。
【請求項１８】
前記アンテナ部が、前記複数本の伝送用ケーブルを囲む被覆線であり、
前記伝送路が、前記伝送用ケーブルと前記被覆線とによる同軸伝送路である
ことを特徴とする請求項１６に記載のアンテナ。
【請求項１９】
コネクタを介してチューナを有する本体装置に一端が接続され、他端に接続された外部ケーブルに前記本体装置の信号及び又は電力を中継する中継ケーブルにおいて、
前記本体装置における信号又は電力を伝送する複数本の伝送用ケーブルによる伝送部と、
前記伝送用ケーブルに沿って設けられて前記伝送用ケーブルと放送波の伝送路を形成するアンテナ部とを有し、
前記アンテナ部の外部ケーブル側端が開放端とされ、
前記コネクタを介して、前記伝送用ケーブルの前記本体装置側端が、前記本体装置への高周波信号の侵入を遮断する高周波遮断回路に接続され、
前記コネクタを介して、前記アンテナ部の前記本体装置側端が、前記アンテナ部の長さに対応する第１の周波数帯域の放送波を受信する前記チューナのアンテナ入力端に接続される
ことを特徴とする中継ケーブル。
【請求項２０】
前記アンテナ部が、伝送用ケーブルに沿って設けられたアンテナ部のケーブルであり、
前記伝送路が、前記伝送用ケーブルと前記アンテナ部のケーブルとによる平行線路である
ことを特徴とする請求項１９に記載の中継ケーブル。
【請求項２１】
前記アンテナ部が、前記複数本の伝送用ケーブルを囲む被覆線であり、
前記伝送路が、前記伝送用ケーブルと前記被覆線とによる同軸伝送路である
ことを特徴とする請求項１９に記載の中継ケーブル。
【手続補正２】
【補正対象書類名】明細書
【補正対象項目名】発明の名称
【補正方法】変更
【補正の内容】
【発明の名称】受信装置、アンテナ及び中継ケーブル
【手続補正３】
【補正対象書類名】明細書
【補正対象項目名】０００２
【補正方法】変更
【補正の内容】
【０００２】
従来、携帯型の受信装置では、アンテナに関して種々の工夫が図られている。すなわちこの種のアンテナには、装置のデザインを損なわないようにする、人体への影響を防止する、電子機器から放射されるノイズによる影響を受け難くする等が望まれる。
【手続補正４】
【補正対象書類名】明細書
【補正対象項目名】０００８
【補正方法】変更
【補正の内容】
【０００８】
上記の課題を解決するために本発明は、受信装置に適用して、本体装置における信号又は電力を伝送する複数本の伝送用ケーブルによる伝送部と、前記伝送用ケーブルの前記本体装置側端から前記本体装置側端とは逆側端の途中までの間、前記伝送用ケーブルに沿って設けられて前記伝送部のケーブルと平行線路を形成するアンテナ部と、前記伝送用ケーブルの前記本体装置側端に設けられ、前記伝送用ケーブルからの前記本体装置への高周波信号の侵入を遮断する高周波遮断回路と、前記アンテナ部の前記本体装置側端をアンテナ入力端に接続し、前記アンテナ部の長さに対応する第１の周波数帯域の放送波を受信するチューナ部とを備え、前記アンテナ部の前記本体装置側端とは逆側端が開放端とされる。
【手続補正５】
【補正対象書類名】明細書
【補正対象項目名】０００９
【補正方法】変更
【補正の内容】
【０００９】
また本発明は、所定周波数帯域の放送波を受信する本体装置に接続されるアンテナに適用して、本体装置における信号又は電力を伝送する複数本の伝送用ケーブルによる伝送部と、前記伝送用ケーブルの前記本体装置側端から前記本体装置側端とは逆側端の途中までの間、前記伝送用ケーブルに沿って設けられて前記伝送部のケーブルと平行線路を形成するアンテナ部とを有し、前記アンテナ部の前記本体装置側端とは逆側端が開放端とされ、前記伝送用ケーブルの前記本体装置側端が、前記本体装置への高周波信号の侵入を遮断する高周波遮断回路に接続され、前記アンテナ部の前記本体装置側端が、前記アンテナ部の長さに対応する第１の周波数帯域の放送波を受信するチューナ部のアンテナ入力端に接続される。
また本発明は、コネクタを介してチューナを有する本体装置に一端が接続され、他端に接続された外部ケーブルに前記受信装置の信号及び又は電力を中継する中継ケーブルに適用して、前記本体装置における信号又は電力を伝送する複数本の伝送用ケーブルによる伝送部と、前記伝送用ケーブルに沿って設けられて前記伝送用ケーブルと前記放送波の伝送路を形成するアンテナ部とを有し、前記アンテナ部の前記外部ケーブル側端が開放端とされ、前記コネクタを介して、前記伝送用ケーブルの前記本体装置側端が、前記本体装置への高周波信号の侵入を遮断する高周波遮断回路に接続され、前記コネクタを介して、前記アンテナ部の前記本体装置側端が、前記アンテナ部の長さに対応する第１の周波数帯域の放送波を受信する前記チューナのアンテナ入力端に接続される。
【手続補正６】
【補正対象書類名】明細書
【補正対象項目名】００１０
【補正方法】変更
【補正の内容】
【００１０】
本発明の構成によれば、伝送部とアンテナ部とが伝送路を形成することから、高周波信号における伝送部とアンテナ部とのアイソレーションを十分に確保することができる。従ってアンテナ部のケーブルのみをアンテナとして機能させることができる。このとき本体装置の根元部分が給電点に設定されて、アンテナ部のケーブルが伝送部の途中までしか設けられていないことにより、伝送部の伝送ケーブルが人体に接触する場合でも、アンテナ部のケーブルについては、人体に接触しないようにすることができ、これによりこのアンテナ部のケーブルによる周波数帯域の放送波については、性能を向上することができる。また本体装置とは逆側のアンテナ部の端部には高周波遮断回路を設ける必要が無く、これにより従来に比して構成を簡略化し、機械的強度を増大し、さらにはデザイン的に優れたものとすることができる。またオーディオ信号の伝送に関して、直流抵抗の増大を防止して性能の劣化を防止することができる。
また本発明は、前記アンテナ部が、前記伝送用ケーブルに沿って設けられたアンテナ部のケーブルであり、前記伝送路が、前記伝送用ケーブルと前記アンテナ部のケーブルとによる平行線路であるようにする。
また本発明は、前記アンテナ部が、前記複数本の伝送用ケーブルを囲む被覆線であり、前記伝送路が、前記伝送用ケーブルと前記被覆線とによる同軸伝送路であるようにする。
【手続補正７】
【補正対象書類名】明細書
【補正対象項目名】００１４
【補正方法】変更
【補正の内容】
【００１４】
このため中継ケーブル２は、本体装置４に接続するプラグ５が本体装置（４）側端に設けられ、またイヤホン（３）側端にイヤホン３のプラグ６を接続するジャック７が設けられる。またこれに対応して本体装置４には、中継ケーブル２のプラグ５を接続するジャック８が設けられる。
【手続補正８】
【補正対象書類名】明細書
【補正対象項目名】００５６
【補正方法】変更
【補正の内容】
【００５６】
また上述の実施例においては、イヤホンを駆動するオーディオ信号の伝送路を利用してアンテナを構成する場合について述べたが、本発明はこれに限らず、ライン出力（端子）等のオーディオ信号の伝送路を利用してアンテナを構成する場合、さらにはオーディオ信号以外の例えばビデオ信号の伝送路を利用してアンテナを構成する場合、信号伝送以外の例えば商用電源、各種直流電源等の電力の伝送路を利用してアンテナを構成する場合等に広く適用することができる。